(57)【要約】【課題】カバー体の連結端の自由端方向の移動を、強固に、かつ、低コストで規制し得る床用目地カバー装置を提供する。【解決手段】一方の床Ｐの側縁でカバー体２の一端２ａを支持する水平受縁３ａに、上方に突出する螺子棒１４と金属棒１５とを配設し、螺子棒１４及び金属棒１５を、カバー体２の一端２ａの底部に形成された挿通孔１７，１８に遊嵌させることにより、カバー体２の一端２ａを床Ｐの側縁に揺動可能に連結する。そして、螺子棒１４には、カバー体２の上方移動を所定位置で規制する抜止部材２１，２２を、螺子棒１４の上端部に形成された螺子を介して装着する。一方、金属棒１５には、螺子を形成せず、カバー体２の自由端方向の移動を、挿通孔１８の孔縁１８ａとの当接により所定位置で規制する係止面１５ａを形成する。【選択図】図１１
2019078064.tif 000002
【特許請求の範囲】
【請求項１】
隣接する構造物の床相互間の目地に差し渡されるカバー体を備え、カバー体の一端を、カバー体が揺動可能となるよう一方の床の側縁に連結される連結端とし、カバー体の他端を、他方の床の側縁に摺動可能に乗載される自由端とする床用目地カバー装置において、
水平受縁と該水平受縁の外端から上方に立ち上がる垂直縁とを備え、一方の床の側縁に配設されて、水平受縁上にカバー体の連結端を支持する保持受枠と、
水平受縁から上方に突出する螺子棒と、
水平受縁から上方に突出する、螺子が形成されていない金属棒と
を備えてなり、
カバー体の連結端の底部には、前記螺子棒と前記金属棒を遊嵌させる挿通孔が形成されており、
前記螺子棒には、カバー体の連結端の上方移動を所定高さで規制する抜止手段が装着され、
前記金属棒の側面には、前記挿通孔の孔縁と当接することにより、カバー体の連結端の自由端方向の移動を所定位置で規制する係止面が形成されていることを特徴とする床用目地カバー装置。
【請求項２】
前記金属棒の側面の下部には、垂直縁方向に向けて下り勾配で傾斜する案内傾斜面が形成され、該案内傾斜面の上方に前記係止面が形成されることを特徴とする請求項１に記載の床用目地カバー装置。
【請求項３】
保持受枠の水平受縁の下面には、床スラブに埋設される鉄筋に溶接されるアンカーが固着されており、前記金属棒は、水平受縁を貫通してアンカーに固着されていることを特徴とする請求項１又は請求項２に記載の床用目地カバー装置。
【発明の詳細な説明】
【技術分野】
【０００１】
本発明は、隣接する構造物の床相互間の目地を覆う床用目地カバー装置に関する。
【背景技術】
【０００２】
免震建物等の構造物の周囲には、隣接する構造物との間に比較的広幅の目地が形成されており、かかる目地の床部分に配設される床用目地カバー装置が提案されている（例えば、特許文献１参照）。
【０００３】
かかる床用目地カバー装置は、隣接する構造物の床相互間の目地にカバー体を差し渡して、該カバー体の一端を、カバー体が揺動可能となるよう一方の床に連結される連結端とし、該カバー体の他端を、他方の床の側縁に摺動可能に乗載される自由端としている。そして、地震時において、一方の構造物と他方の構造物とが近接したり離れたりするように相対変位すると、カバー体の自由端が他方の構造物の床上を摺動してその相対変位に追従するようになっている。
【０００４】
図１６（ａ）に示すように、カバー体Ｃの連結端Ｈを一方の床Ｐに連結する従来構成としては、連結端側の床Ｐの側縁に、水平受縁Ｅと垂直縁Ｆを備えてなる保持受枠Ｄを配設して、該保持受枠Ｄの水平受縁Ｅから上方に突出する螺子棒Ｇを設けるとともに、カバー体２の連結端Ｈの底部に螺子棒Ｇが遊嵌する上下方向の挿通孔Ｊを形成し、螺子棒Ｇと挿通孔Ｊの遊嵌状態で、螺子棒Ｇの上端部に挿通孔Ｊからの脱落を防止する抜止手段Ｋを装着する構成が知られている。また、かかる従来構成では、垂直縁Ｆに溶接したアンカーＬを、床スラブＮに埋設された鉄筋Ｔに溶接することにより、保持受枠Ｄを連結端側の床Ｐに固定している。
【先行技術文献】
【特許文献】
【０００５】
【特許文献１】特開２００１−２９４８９２号公報
【発明の概要】
【発明が解決しようとする課題】
【０００６】
ところで、上記従来構成にあっては、地震時や通行時に、カバー体Ｃに対して自由端方向（図１６中の左方向）の力が加わると、カバー体２の連結端Ｈが、垂直縁Ｆに当接する定常位置（図１６（ａ）参照）から、挿通孔Ｊと螺子棒Ｇの遊びの範囲内で自由端方向に移動することとなる。そして、かかる自由端方向の移動は、螺子棒Ｇが挿通孔Ｊの孔縁と当接した位置で規制される（図１６（ｂ）参照）。このように、従来構成では、カバー体２の連結端Ｈの自由端方向への移動を螺子棒Ｇによって規制しているため、螺子棒Ｇにはカバー体Ｃに加わる自由端方向の負荷に耐え得る強度が求められる。
【０００７】
ここで、カバー体Ｃに加わる自由端方向の負荷の大きさは、床用目地カバー装置の配設場所によって変動する。例えば、カバー体Ｃの上を自動車等が通行する場所では、カバー体Ｃに対して自由端方向に強い負荷が加わることが想定されるため、螺子棒Ｇには比較的高い強度が要求される。従来構成では、このように螺子棒Ｇに高い強度が要求される場合は、螺子棒Ｇの配設本数を増やしたり、太い螺子棒Ｇを用いたりして対応している。しかしながら、螺子棒Ｇの配設本数を増やすためには製造時の工数を増やさなくてはならず、また、通常サイズよりも太い螺子棒Ｇは高価であるため、いずれの場合もコスト面での負担が大きいという問題がある。
【０００８】
本発明は、かかる現状に鑑みてなされたものであり、カバー体の連結端の自由端方向の移動を、強固に、かつ、低コストで規制し得る床用目地カバー装置の提供を目的とする。
【課題を解決するための手段】
【０００９】
本発明は、隣接する構造物の床相互間の目地に差し渡されるカバー体を備え、カバー体の一端を、カバー体が揺動可能となるよう一方の床の側縁に連結される連結端とし、カバー体の他端を、他方の床の側縁に摺動可能に乗載される自由端とする床用目地カバー装置において、水平受縁と該水平受縁の外端から上方に立ち上がる垂直縁とを備え、一方の床の側縁に配設されて、水平受縁上にカバー体の連結端を支持する保持受枠と、水平受縁から上方に突出する螺子棒と、水平受縁から上方に突出する、螺子が形成されていない金属棒とを備えてなり、カバー体の連結端の底部には、前記螺子棒と前記金属棒を遊嵌させる挿通孔が形成されており、前記螺子棒には、カバー体の連結端の上方移動を所定高さで規制する抜止手段が装着され、前記金属棒の側面には、前記挿通孔の孔縁と当接することにより、カバー体の連結端の自由端方向の移動を所定位置で規制する係止面が形成されていることを特徴とする床用目地カバー装置である。
【００１０】
かかる構成にあっては、螺子棒が抜止手段によってカバー体の上方移動を規制し、金属棒がカバー体の自由端方向への移動を規制するため、金属棒を太くすれば、カバー体に加わる自由端方向への強い負荷に耐えることが可能となる。ここで、螺子棒は、一定以上の太さのものとなると、汎用性が低くなって、コストが大幅に増大することとなるが、金属棒であれば、太径のものを低コストで入手できる。したがって、本発明によれば、カバー体の連結端の自由端方向の移動を強固に規制し得る床用目地カバー装置を、従来構成に比べて低コストで実現できるという利点がある。
【００１１】
本発明にあって、前記金属棒の側面の下部には、垂直縁方向に向けて下り勾配で傾斜する案内傾斜面が形成され、該案内傾斜面の上方に前記係止面が形成される構成が提案される。かかる構成にあっては、カバー体に自由端方向の力が加わると、カバー体の連結端は、挿通孔の孔縁と案内傾斜面との案内作用によって、案内傾斜面に乗り上げるように斜め上方に移動し、その後、挿通孔の孔縁が金属棒の係止面に当接した位置で、自由端方向の移動を規制されることとなる。このため、かかる構成では、カバー体が、自由端方向の力から解放されると、カバー体の連結端は、案内傾斜面の上を垂直縁方向に滑り落ちるように移動して、垂直縁に近接する位置に復帰することとなる。このように、かかる構成によれば、金属棒によって、連結端の自由端方向の移動を規制しつつ、保持受枠の垂直縁とカバー体の連結端との間に隙間が拡大したままとなるのを防止可能となる。
【００１２】
また、本発明にあって、保持受枠の水平受縁の下面には、床スラブに埋設される鉄筋に溶接されるアンカーが固着されており、前記金属棒は、水平受縁を貫通してアンカーに固着されている構成が提案される。かかる構成にあっては、金属棒がアンカーに直接固着されるため、保持受枠を介して金属棒をアンカーに固定する従来構成に比べて、金属棒の強度を向上させることができる。
【発明の効果】
【００１３】
以上のように、本発明によれば、カバー体の連結端の自由端方向の移動を強固に規制し得る床用目地カバー装置を、従来構成に比べて低コストで実現可能となる。
【図面の簡単な説明】
【００１４】
【図１】実施例１にかかる床用目地カバー装置の施工状態を示す平面図である。
【図２】（ａ）は、図１中のＡ−Ａ線断面図であり、（ｂ）は、図１中のＢ−Ｂ線断面図である。
【図３】一枚のカバー体２を分離して示す床Ｐ，Ｑの斜視図である。
【図４】螺子棒１４の固定態様を示す説明図である。
【図５】金属棒１５の固定態様を示す説明図である。
【図６】（ａ）は、図２（ａ）中のＸ部分拡大図であり、（ｂ）は、図２（ｂ）中のＹ部分拡大図である。
【図７】螺子棒１４と中央挿通孔１７の嵌合態様を示す説明図である。
【図８】金属棒１５と側部挿通孔１８の嵌合態様を示す説明図である。
【図９】カバー体２の自由端２ｂが上方に揺動した状態の縦断面図である。
【図１０】カバー体２の連結端２ａが上方に移動した状態の、（ａ）螺子棒１４部分と（ｂ）金属棒１５部分の拡大断面図である。
【図１１】カバー体２の連結端２ａが自由端方向に移動した状態の、（ａ）螺子棒１４部分と（ｂ）金属棒１５部分の拡大断面図である。
【図１２】金属棒１５と側部挿通孔１８の嵌合態様を示す説明図であり、（ａ）連結端２ａが定常位置にある状態を示し、（ｂ）は金属棒１５の係止面１５ａと側部挿通孔１８の孔縁１８ａが当接した状態を示す。
【図１３】実施例２に係る金属棒３５を示す説明図である。
【図１４】実施例２に係る金属棒３５部分の拡大断面図であり、（ａ）は連結端２ａが定常位置にある状態を示し、（ｂ）は連結端２ａが定常位置から自由端方向に移動した状態を示す。
【図１５】実施例３に係る螺子棒１４及び金属棒１５の配置を示す説明図である。
【図１６】従来の床用目地カバー装置において、カバー体Ｃの連結端Ｈが定常位置にある状態（ａ）と、定常位置から自由端方向に変位した状態（ｂ）とをしめす拡大断面図である。
【発明を実施するための形態】
【００１５】
本発明の実施形態を、以下の実施例により説明する。なお、図１に示すように、以下の説明にあって、「目地方向」とは目地Ｓに沿った方向を指し、「目地幅方向」とは目地方向と直交し、目地Ｓを横切る方向を指す。また、「自由端方向」とは、目地幅方向であって、連結端２ａから自由端２ｂに向かう方向を指す。
【実施例１】
【００１６】
図１，２において、Ｐは緩衝機能を備えた免震構造物の床、Ｑは該免震構造物の周囲に形成された非免震構造物（人工地盤等）の床である。２つの床Ｐ，Ｑの間には所定幅の目地Ｓが形成されており、該目地Ｓによって、地震時に免震構造物と非免震構造物との相対的な揺れを吸収し得るようになっている。本実施例の床用目地カバー装置は、かかる目地Ｓを覆うように配設される。
【００１７】
床用目地カバー装置は、目地Ｓの間に差し渡されて目地Ｓを覆う矩形板状のカバー体２を備えてなる。カバー体２は、図１，２に示すように、免震構造物側の端部を、カバー体２が揺動可能となるように床Ｐに連結される連結端２ａとし、非免震構造物側の端部を、床Ｑの上に摺動可能に乗載される自由端２ｂとしている。また、床用目地カバー装置は、免震構造物の床Ｐに配設されてカバー体２の連結端２ａを支持する保持受枠３と、非免震構造物の床Ｑに配設されてカバー体２の自由端２ｂを支持する摺動受枠４とを備えている。保持受枠３と摺動受枠４は、夫々の床Ｐ，Ｑの側縁に目地方向に沿って配設されて、目地幅方向に対向するよう配置される。そして、図１に示すように、保持受枠３及び摺動受枠４が配設された目地Ｓに沿って、複数個のカバー体２が連続状に配置される。
【００１８】
図３に示すように、カバー体２は、横並びに配置した５本の角パイプ状のフレーム１０の上に、天板１１を固着してなるものである。カバー体２の連結端２ａには、床Ｐとの連結強度を向上させるために、肉厚金属板からなる補強板１２が底部の全幅に亘ってフレーム１０に溶接されている。なお、カバー体２を構成するフレーム１０、天板１１、及び補強板１２は、スチールやステンレス等によって構成されるものである。
【００１９】
図２に示すように、非免震構造物の床Ｑの側縁には、カバー体２の自由端２ｂの厚みに相当する深さで窪ませた支持段縁Ｒ２が目地方向に沿って形成されており、摺動受枠４は、該支持段縁Ｒ２を覆うように配設される。具体的には、摺動受枠４は、支持段縁Ｒ２の上面を覆う水平状の凹部受縁４ａと、床Ｑの上面を覆う床受縁４ｃとが、所定傾斜角度で傾斜する傾斜縁４ｂを介して連成されてなるものである。常態では、カバー体２の自由端２ｂは、凹部受縁４ａに摺動可能に乗載され、カバー体２の天板１１が、床受縁４ｃまで突出して、床受縁４ｃの上面に当接している。
【００２０】
図２，３に示すように、免震構造物の床Ｐの側縁には、カバー体２の連結端２ａの厚みに相当する深さで窪ませた支持段縁Ｒ１が目地方向に沿って形成されており、保持受枠３は、該支持段縁Ｒ１を覆うように配設される。保持受枠３は、水平受縁３ａと該水平受縁３ａの外端から上方に立ち上がる垂直縁３ｂとを備えた断面略Ｌ字状に形成されており、該水平受縁３ａにカバー体２の連結端２ａが乗載されて、連結端２ａの底部に溶接された補強板１２の底面と、水平受縁３ａの上面とが当接することとなる。この保持受枠３は、水平受縁３ａに連結端２ａが乗載された状態で、カバー体２の上面が、免震構造物の床Ｐの上面と略面一となるように、該床Ｐの側縁に配設される。なお、保持受枠３は、ステンレス製又はスチール製の帯状鋼板を長手方向に沿って屈曲させてなるものである。
【００２１】
図３に示すように、保持受枠３の水平受縁３ａの上面からは、螺子棒１４と金属棒１５とが鉛直上方に突出している。螺子棒１４は、各カバー体２の連結端２ａの中央部と重なる位置に一本ずつ配設され、金属棒１５は、各カバー体２の連結端２ａの両側部と重なる位置に一本ずつ配設される。
【００２２】
図４に示すように、螺子棒１４は、ボルトの軸部によって構成されるものであり、ボルトの頭部１４ａは水平受縁３ａの下底面に溶接され、ボルトの軸部である螺子棒１４のみが水平受縁３ａを貫通して鉛直上方に突出している。また、図４に示すように、保持受枠３の裏側には、螺子棒１４の配設部位近傍にアンカー３０ａが溶接されており、ボルトの頭部１４ａは、アンカー３０ａとも溶接される。アンカー３０ａは、２本のアングル３１ａ，３１ｂをＬ字状に溶接してなるものであり、横方向のアングル３１ａが水平受縁３ａの下面に溶接され、縦方向のアングル３１ｂが垂直縁３ｂの背面に溶接される。そして、ボルトの頭部１４ａは、横方向のアングル３１ａに溶接されている。
【００２３】
図５に示すように、金属棒１５は、断面矩形状をなすスチール製の角棒からなるものである。金属棒１５の配設部位には、水平受縁３ａの下面に、一本のアングルからなるアンカー３０ｂが溶接されており、金属棒１５は、その下端部が水平受縁３ａ及びアンカー３０ｂを貫通した状態で、水平受縁３ａとアンカー３０ｂとに夫々溶接されている。金属棒１５は、垂直に立ち上がる一側面１５ａを、保持受枠３の垂直縁３ｂと対向させるように配設されており、後述するように、垂直縁３ｂと対向する当該一側面１５ａが、カバー体２の連結端２ａの自由端方向への移動を規制する係止面を構成する。
【００２４】
図６（ａ），６（ｂ）に示すように、床スラブＮには、予め上方に突出する鉄筋Ｔが埋設されており、保持受枠３の施工時には、保持受枠３の裏側に溶接されたアンカー３０ａ，３０ｂをかかる鉄筋Ｔに溶接することで、保持受枠３が床Ｐに対して固定される。そして、その後、モルタル等の舗装材Ｍが、保持受枠３と床スラブＮとの間に充填される。
【００２５】
カバー体２の連結端２ａは、螺子棒１４及び金属棒１５を介して、免震構造物の床Ｐに連結される。具体的には、図１に示すように、カバー体２の連結端２ａには、中央部の底部に中央挿通孔１７が形成され、両側部の底部に側部挿通孔１８が形成されており、連結端２ａを水平受縁３ａに乗載した状態で、螺子棒１４が中央挿通孔１７に挿入され、かつ、各金属棒１５が各側部挿通孔１８に挿入される。
【００２６】
図６（ａ）及び図７に示すように、中央挿通孔１７は矩形状の孔であり、中央のフレーム１０の底部及び補強板１２を貫通するように形成される。螺子棒１４は、横断面形状が中央挿通孔１７よりも小さく、かつ、中央挿通孔１７の厚みよりも長いものであり、連結端２ａを水平受縁３ａに乗載した状態で、螺子棒１４は、中央挿通孔１７に遊嵌して、その上端部をフレーム１０の内部に突出させている。そして、螺子棒１４が中央挿通孔１７に遊嵌した状態で、螺子棒１４に抜止手段が装着される。抜止手段は、連結端２ａの上方移動を所定高さで規制することにより、螺子棒１４の中央挿通孔１７からの脱落を防止するものである。具体的には、螺子棒１４に外嵌するワッシャ２１と、螺子棒１４の上端部に螺着するナット２２とによって構成される。ワッシャ２１は、外径が中央挿通孔１７よりも大きく、内径がナット２２よりも小さいものであり、カバー体２の連結端２ａが床Ｐから浮き上がって、中央挿通孔１７が螺子棒１４の上端部の高さとなった時に、ワッシャ２１を介してナット２２が中央挿通孔１７の外周部と係合することで、連結端２ａの上方移動が当該高さで規制される。また、中央挿通孔１７の上方には、抜止手段を装着するための円形開口部２３が形成される。円形開口部２３は、天板１１及びフレーム１０の上部を貫通する、ワッシャ２１よりも大きな開口部であり、ワッシャ２１及びナット２２の着脱時以外は、キャップ２４によって閉塞される。
【００２７】
図６（ｂ）及び図８に示すように、側部挿通孔１８は矩形状の孔であり、両側のフレーム１０の底部及び補強板１２を貫通するように形成される。金属棒１５は、横断面形状が側部挿通孔１８よりも小さく、かつ、側部挿通孔１８の厚みよりも長いものであり、連結端２ａを水平受縁３ａに乗載した状態で、金属棒１５は、側部挿通孔１８に遊嵌して、その上端部をフレーム１０の内部に突出させている。ここで、金属棒１５は、矩形断面の四辺が目地幅方向と目地方向に沿うように配置されており、また、側部挿通孔１８は、矩形の孔縁の四辺が目地幅方向と目地方向に沿うように形成される。なお、螺子の形成されていない金属棒１５には抜止手段は装着されず、カバー体２の上部には、側部挿通孔１８の上方に開口部等は形成されていない。
【００２８】
上述のように、カバー体２の連結端２ａは、底部の中央挿通孔１７と側部挿通孔１８を、上方に突出する螺子棒１４と金属棒１５に遊嵌させることによって床Ｐに連結されるため、カバー体２は、連結端２ａを中心に自由端２ｂ側を上下に揺動可能となっている。このため、本実施例の床用目地カバー装置は、図９に示すように、地震時に両側の床Ｐ，Ｑが上下方向に相対変位した場合に、自由端２ｂを上下に揺動させることで、床Ｐ，Ｑの上下方向の相対的な動きに追従する。また、地震時に両側の床Ｐ，Ｑが相互に接近する方向に変位した場合には、摺動受枠４の傾斜縁４ｂの案内作用によって、自由端２ｂを上方に揺動させて床Ｑの上面に乗り上げさせることで、当該接近方向の相対的な動きに追従する。
【００２９】
カバー体２の連結端２ａの連結構造について詳述すると、カバー体２の連結端２ａは、図６に示すように、保持受枠３の水平受縁３ａ及び垂直縁３ｂと当接する位置を定常位置としている。かかる定常位置では、カバー体２の上面と床Ｐの上面が隙間なく隣接するとともに、カバー体２の連結端２ａは、水平受縁３ａによって安定に支持される。そして、自由端２ｂ側を上下に揺動可能とするために、連結端２ａは、かかる定常位置から、遊びの範囲内で、上方と自由端方向とに移動可能に保持される。具体的には、連結端２ａは、図１０に示すように、中央挿通孔１７の外周部がワッシャ２１を介してナット２２と係合する位置まで、定常位置から上方移動可能となっている。なお、金属棒１５には、抜止手段が装着されていないため、金属棒１５は、連結端２ａの上方移動を規制しない。
【００３０】
一方、連結端２ａは、図１１に示すように、金属棒１５の係止面１５ａが、側部挿通孔１８の、垂直縁３ｂ側の孔縁１８ａに当接して、金属棒１５と側部挿通孔１８が目地幅方向に係合する位置まで、自由端方向に移動可能となっている。ここで、図１２に示すように、金属棒１５の規制面１５ａと、側部挿通孔１８の垂直縁３ｂ側の孔縁１８ａは、自由端方向と直交するよう形成されており、連結端２ａが自由端方向に移動した際に、規制面１５ａと当該孔縁１８ａが自由端方向に面接触することで、連結端２ａの自由端方向の移動を、金属棒１５によって確実に規制し得るよう構成されている。なお、金属棒１５と側部挿通孔１８の遊嵌に比べて、螺子棒１４と中央挿通孔１７の遊嵌は、自由端方向に余裕があるため、金属棒１５と側部挿通孔１８が目地幅方向に係合した状態（図１１（ｂ）参照）でも、螺子棒１４は中央挿通孔１７とは係合せず（図１１（ａ）参照）、螺子棒１５は連結端２ａの自由端方向の移動を規制しない。
【００３１】
このように、本実施例では、連結端２ａの上方移動は、中央挿通孔１７とナット２２の係合によって規制され、連結端２ａの自由端方向の移動は、金属棒１５と側部挿通孔１８の係合によって規制される。このため、カバー体２の連結端２ａが定常位置から自由端方向に移動する際の荷重は、螺子棒１４には加わらず、金属棒１５に加わることとなる。ここで、本実施例の床用目地カバー装置を、カバー体２の上を自動車が通行する場所に配設する場合は、カバー体２に対して自由端方向の強い力が頻繁に加わるため、金属棒１５には高い強度が要求されるが、金属棒１５は螺子が形成されていないスチール製の角棒であり、断面積の大きいものを低廉に入手可能であるため、金属棒１５の太さを増すことによって、低コストで高い強度を実現できる。このように、本実施例にあっては、螺子が形成された螺子棒１４は連結端２ａの上方移動の規制のみに寄与し、螺子が形成されていない角棒からなる金属棒１５によって連結端２ａの自由端方向の移動を規制するため、連結端２ａの自由端方向の移動を、低コストで強固に規制できるという利点がある。
【００３２】
また、本実施例では、金属棒１５の下端部が、鉄筋Ｔに溶接されるアンカー３０ｂに溶接されるため、金属棒１５の下端部を保持受枠３のみに溶接して保持する構成に比べて、金属棒１５の強度を向上させることができるという利点がある。
【実施例２】
【００３３】
本実施例は、金属棒の形状を実施例１から変更したものである。なお、以下に説明する構成以外の構成は、実施例１と共通であるため、図中で共通符号を付すとともに、詳細な説明を省略する。
【００３４】
本実施例は、図１３に示すように、金属棒３５に、保持受枠３の垂直縁３ｂの方向に向けて下り勾配で傾斜する案内傾斜面３５ｂを形成したものである。具体的には、案内傾斜面３５ｂは金属棒３５の側面の下部に形成され、金属棒３５の側面の上部には、垂直に立ち上がる係止面３５ａが案内傾斜面３５ｂと上下に連続するよう形成される。
【００３５】
かかる構成にあっては、連結端２ａの定常位置（図１４（ａ）参照）において、地震時や車両通行時にカバー体２に対して自由端方向の強い力が加わると、側部挿通孔１８の孔縁１８ａと案内傾斜面３５ｂの案内作用によって、連結端２ａは、案内傾斜面３５ｂに乗り上げるように斜め上方に移動し、図１４（ｂ）に示すように、案内傾斜面３５ｂに乗り上げた後に、側部挿通孔１８の孔縁１８ａと係止面３５ａが当接することによって自由端方向の移動を規制される。かかる構成によれば、図１４（ｂ）のように、連結端２ａが案内傾斜面３５ｂに乗り上げた状態で、カバー体２が自由端方向の外力から解放されると、連結端２ａは、乗り上げた案内傾斜面３５ｂの上を垂直縁３ｂ方向に滑り落ちるように移動して定常位置（図１４（ａ）参照）に復帰することとなる。このように、本実施例によれば、金属棒３５によって、連結端２ａの自由端方向の移動範囲を規制しつつ、保持受枠３の垂直縁３ｂとカバー体２の連結端２ａとの間に隙間が生じたままになることを防止することができる。
【実施例３】
【００３６】
本実施例は、螺子棒と金属棒の配置を実施例１から変更したものである。なお、以下に説明する構成以外の構成は、実施例１と共通であるため、図中で共通符号を付すとともに、詳細な説明を省略する。
【００３７】
本実施例は、図１５に示すように、螺子棒１４と金属棒１５を近接配置するとともに、カバー体２の連結端２ａに、螺子棒１４及び金属棒１５に遊嵌する共通の挿通孔１９を形成したものである。本実施例にあっても、螺子棒１４に装着された抜止手段（ワッシャ２１及びナット２２）と挿通孔１９の係合によって、連結端２ａの上方移動が規制され、また、挿通孔１９の孔縁１９ａが、金属棒１５の係止面１５ａに当接することによって、連結端２ａの自由端方向の移動が規制される。このように、本発明に係る螺子棒及び金属棒は、近接配置して、共通の挿通孔に遊嵌させるようにしてもかまわない。
【００３８】
なお、本発明の床用目地カバー装置は、上記実施例の構成に限定されず、本発明の趣旨を逸脱しない範囲内で適宜変更可能である。例えば、本発明は、床用目地カバー装置のカバー体の連結構造に係るものであり、摺動受枠やカバー体の自由端側の構造は、適宜変更可能である。
【００３９】
また、上記実施例のカバー体２は、並置した角パイプ状のフレーム１０に天板１１を乗載してなる構成であるが、本発明に係るカバー体の基本構成は、かかる構成に限られず、適宜変更可能である。
【００４０】
また、実施例では、ワッシャ２１及びナット２２が、螺子棒１４の抜止手段を構成しているが、抜止手段は、中央挿通孔１７を挿通し得ない大きさのナットのみによって構成してもよい。また、本発明に係る螺子棒には、カバー体の上下動を抑制するコイルバネを外嵌させても良い。また、本発明に係る螺子棒は、少なくとも上端部に螺子が形成されたものであればよく、全長に亘って螺子が形成されたものに限られない。
【００４１】
また、上記実施例に係るカバー体２は、免震構造物の床Ｐに連結端２ａを連結しているが、非免震構造物の床Ｑに連結端２ａを連結してもかまわない。また、本発明の床用目地カバー装置は、目地を介して相互に隣接する２つの免震構造物の床の間にも配設できる。
【符号の説明】
【００４２】
２  カバー体
２ａ  連結端
２ｂ  自由端
３  保持受枠
３ａ  水平受縁
３ｂ  垂直縁
４  摺動受枠
４ａ  凹部受縁
４ｂ  傾斜縁
４ｃ  床受縁
１０  フレーム
１１  天板
１２  補強板
１４  螺子棒
１４ａ  頭部
１５  金属棒
１５ａ  係止面
１７  中央挿通孔
１８  側部挿通孔
１８ａ  孔縁
１９  挿通孔
１９ａ  孔縁
２１  ワッシャ
２２  ナット
２３  円形開口部
２４  キャップ
３０ａ，３０ｂ  アンカー
３１ａ，３１ｂ  アングル
３５  金属棒
３５ａ  係止面
３５ｂ  案内傾斜面
Ｃ  カバー体
Ｄ  保持受枠
Ｅ  水平受縁
Ｆ  垂直縁
Ｇ  螺子棒
Ｈ  連結端
Ｊ  挿通孔
Ｋ  抜止手段
Ｌ  アンカー
Ｍ  舗装材
Ｎ  床スラブ
Ｐ，Ｑ  床
Ｒ１，Ｒ２  支持段縁
Ｓ  目地
Ｔ  鉄筋
【図１】
2019078064.tif 000003
【図２】
2019078064.tif 000004
【図３】
2019078064.tif 000005
【図４】
2019078064.tif 000006
【図５】
2019078064.tif 000007
【図６】
2019078064.tif 000008
【図７】
2019078064.tif 000009
【図８】
2019078064.tif 000010
【図９】
2019078064.tif 000011
【図１０】
2019078064.tif 000012
【図１１】
2019078064.tif 000013
【図１２】
2019078064.tif 000014
【図１３】
2019078064.tif 000015
【図１４】
2019078064.tif 000016
【図１５】
2019078064.tif 000017
【図１６】
2019078064.tif 000018